(57)【要約】【課題】人とペットの双方の動作に支障が生じ難い、床材及び床シートを提供する。【解決手段】床材１は、基材１１と、基材１１の上面に設けられる床シート１２と、を備える。床シート１２は、表面に複数の凹部２を備える。凹部２は、所定の範囲の深さと、所定の範囲の大きさと、を有して、所定の範囲の間隔で設けられる。表面の凹部２を除く部分に、第一の範囲のすべり抵抗値を有する第一すべり抵抗部３１を有する。凹部２の底面に、第一の範囲よりも大きい第二の範囲のすべり抵抗値を有する第二すべり抵抗部３２を有することを特徴とする。【選択図】図２
2016011567.tif 000002
【特許請求の範囲】
【請求項１】
基材と、前記基材の上面に設けられる床シートと、を備え、
前記床シートは、表面に複数の凹部を備え、
前記凹部は、所定の範囲の深さと、所定の範囲の大きさと、を有して、所定の範囲の間隔で設けられ、
前記表面の前記凹部を除く部分に、第一の範囲のすべり抵抗値を有する第一すべり抵抗部を有し、
前記凹部の底面に、前記第一の範囲よりも大きい第二の範囲のすべり抵抗値を有する第二すべり抵抗部を有することを特徴とする床材。
【請求項２】
前記凹部は、窪み部であることを特徴とする請求項１記載の床材。
【請求項３】
前記窪み部の深さの所定の範囲は５〜５００μｍであり、前記窪み部の大きさの所定の範囲は３〜１５ｍｍであり、隣り合う前記窪み部同士の間隔の所定の範囲は５〜３０ｍｍであることを特徴とする請求項２記載の床材。
【請求項４】
前記凹部は、溝部であることを特徴とする請求項１記載の床材。
【請求項５】
前記溝部の深さの所定の範囲は５〜５００μｍであり、前記溝部の大きさの所定の範囲は３〜１５ｍｍであり、夫々の前記溝部同士の間隔の所定の範囲は５〜３０ｍｍであることを特徴とする請求項４記載の床材。
【請求項６】
表面に複数の凹部を備え、
前記凹部は、所定の範囲の深さと、所定の範囲の大きさと、所定の範囲の間隔で設けられ、
前記表面の前記凹部を除く部分に、第一の範囲のすべり抵抗値を有する第一すべり抵抗部を有し、
前記凹部の底面に、前記第一の範囲よりも大きい第二の範囲のすべり抵抗値を有する第二すべり抵抗部を有することを特徴とする床シート。
【発明の詳細な説明】
【技術分野】
【０００１】
本発明は、床材及び床シートに関する。より詳細には、すべり抵抗値が異なる表面処理を施した、床材及び床シートに関する。
【背景技術】
【０００２】
従来、表面に形成される複数の凹部と、表面に形成される複数の凸部と、を備えた床材及び床シートが知られている（例えば特許文献１参照）。
【先行技術文献】
【特許文献】
【０００３】
【特許文献１】特開２０１１−４７２２１号公報
【発明の概要】
【発明が解決しようとする課題】
【０００４】
ところで特許文献１に記載されている発明では、床シートの表面に所定の範囲のすべり抵抗値を有するすべり抵抗部が設けられる。このとき、すべり抵抗部を人に適したすべり抵抗値にすると、すべり抵抗値が小さいためペットが滑り易い。また、ペットに適したすべり抵抗値にすると、すべり抵抗値が大きいため人（特に高齢者）が躓き易い。そのため、すべり抵抗値は、人に適したすべり抵抗値とペットに適したすべり抵抗値の間の範囲から設定される。そして、その設定されたすべり抵抗値を有するすべり抵抗部が、凹部と凸部の表面全体に設けられる。
【０００５】
しかし、そのすべり抵抗部では、人とペットに対して個別に対応したすべり抵抗値を設定している訳ではない。従って、人とペットに適したすべり抵抗値は違うので、人とペットのどちらか一方の動作に支障が生じたり、両方の動作に支障が生じたりしてしまう。
【０００６】
本発明は上記従来の問題点に鑑みて発明したものであって、その目的とするところは、人とペットの双方の動作に支障が生じ難い、床材及び床シートを提供することを課題とするものである。
【課題を解決するための手段】
【０００７】
上記課題を解決するために、本発明は、以下のような構成とする。
【０００８】
基材と、前記基材の上面に設けられる床シートと、を備え、前記床シートは、表面に複数の凹部を備え、前記凹部は、所定の範囲の深さと、所定の範囲の大きさと、を有して、所定の範囲の間隔で設けられ、前記表面の前記凹部を除く部分に、第一の範囲のすべり抵抗値を有する第一すべり抵抗部を有し、前記凹部の底面に、前記第一の範囲よりも大きい第二の範囲のすべり抵抗値を有する第二すべり抵抗部を有することを特徴とする。
【０００９】
表面に複数の凹部を備え、前記凹部は、所定の範囲の深さと、所定の範囲の大きさと、所定の範囲の間隔で設けられ、前記表面の前記凹部を除く部分に、第一の範囲のすべり抵抗値を有する第一すべり抵抗部を有し、前記凹部の底面に、前記第一の範囲よりも大きい第二の範囲のすべり抵抗値を有する第二すべり抵抗部を有することを特徴とする。
【発明の効果】
【００１０】
本発明の床材及び床シートでは、第一すべり抵抗部により人は躓き難くなり、第二すべり抵抗部によりペットはすべり難くなるので、人とペットの双方の動作に支障が生じ難くすることができる。
【図面の簡単な説明】
【００１１】
【図１】図１Ａは窪み部を並列に形成した斜視図であり、図１Ｂは窪み部を斜めに並べて形成した変形例の斜視図である。
【図２】図２は図１ＡのＡ−Ａ断面図である。
【図３】図３Ａは人が床材に足を置いたときの説明図であり、図３Ｂは犬が床材に足をおいたときの説明図である。
【図４】図４はＣ．Ｓ．Ｒ・Ｄ’（すべり抵抗値）と犬がすべらない確率を示した図である。
【図５】図５は凹部以外の表面に第一すべり抵抗部を設け、凹部の底面と側面に第二すべり抵抗部を設けた断面図である。
【図６】図６は凹部以外の表面に第一すべり抵抗部を設け、凹部の底面に第二すべり抵抗部を設け、凹部の側面に第三すべり抵抗部を設けた断面図である。
【図７】図７Ａは本実施形態の床材で溝部を直角に交差させた斜視図であり、図７Ｂは本実施形態の床材で溝部を斜めに交差させた斜視図である。
【図８】図８は図７ＡのＣ−Ｃ断面図である。
【発明を実施するための形態】
【００１２】
以下、本発明を添付図面に示す実施形態に基いて説明する。
【００１３】
床材１は、図１Ａ，図１Ｂ，図２に示すように、基材１１と、基材１１の上面に設けられる床シート１２と、を備える。基材１１は、本実施形態では、合板、パーティクルボード、ＭＤＦ、といった木質系基材で形成される。パーティクルボードは、木材の小片を接着剤と混合し熱圧成型して形成される。ＭＤＦは、木材チップを蒸煮・解繊したものに接着剤となる合成樹脂を加え板状に熱圧成型して形成される。なお、基材１１は無垢板であってもよく、特に限定されない。
【００１４】
床シート１２の主体は、合成樹脂製のシートや、木質の突板、無垢板、木質板、等から構成される。床シート１２は、本実施形態では、表面に複数の凹部２を備える。凹部２は、例えば床シート１２に凹凸模様を有するエンボスプレートで熱圧締することで、凹凸模様を転写して形成される。なお、基質材に凹部２を形成する方法は、上記した方法に限られず、最適な方法が用いられる。
【００１５】
凹部２は、図１Ａ，図１Ｂ，図２に示すように、窪み部２１であることが好ましい。窪み部２１は、本実施形態では、平面視円状となっているが、その形状は限定されない。このとき、窪み部２１は、上下方向に深さＨ１を有し、径方向に径Ｗ１を有する。本実施形態では、所定の範囲の大きさは、径Ｗ１の長さとなる。そして、複数の窪み部２１で、隣り合う窪み部２１との最短距離が窪み部２１同士の間隔Ｗ２となる。なお、図１ＢのＢ−Ｂ断面図は、図１ＡのＡ−Ａ断面図と同じ図２に示す断面図となる。
【００１６】
複数の窪み部２１は、図１Ａに示すように、一の方向に隣り合う窪み部２１と他の方向に隣り合う窪み部２１において、その一の方向に対して他の方向が直交してもよい。このとき、複数の窪み部２１は、並列に配置される。また、複数の窪み部２１は、図１Ｂに示すように、一の方向に隣り合う窪み部２１と他の方向に隣り合う窪み部２１において、その一の方向に対して他の方向が傾斜してもよい。このとき、複数の窪み部２１は、斜めに配置される。ここで、図２に示すように、夫々の窪み部２１同士の間隔Ｗ２の所定範囲は限定されないが、５〜３０ｍｍであることが好ましい。
【００１７】
窪み部２１は、本実施形態では、所定の範囲の深さＨ１と、所定の範囲の大きさＷ１と、で設けられる。人の足裏が床材１の表面についたとき、人の肌には弾力があり、接触する対象物に対して柔軟に変形するので、床シート１２の窪み部２１に人の足裏が入り込んでしまう。このとき、人の足裏が窪み部２１の底面に所定の面積以上接触しないように、窪み部２１の所定の範囲の大きさＷ１と所定の範囲の深さＨ１が設定される。ここで、所定の面積とは、人が床シート１２の上を歩行する際、窪み部２１の底面に人の足裏が接触することにより躓かない範囲の面積のことをいう。そのため、窪み部２１の深さＨ１は、窪み部２１の大きさＷ１が広く足裏が入り込み易いとき、深い方が好ましい。また、窪み部２１の深さＨ１は、窪み部２１の大きさＷ１が狭く足裏が入り難いとき、浅い方が好ましい。
【００１８】
窪み部２１の大きさＷ１の所定の範囲は限定されないが、３〜１５ｍｍであることが好ましい。窪み部２１の深さＨ１の所定の範囲は限定されないが、５〜５００μｍであることが好ましい。窪み部２１の大きさＷ１と深さＨ１は夫々の範囲から設定される。このとき、窪み部２１の底面と人の足裏が所定の面積以上で接しないようにすることができる。
【００１９】
床シート１２は、本実施形態では、図２に示すように、床シート１２の表面の窪み部２１を除く部分に第一の範囲のすべり抵抗値を有する第一すべり抵抗部３１を有する。そして、床シート１２は、窪み部２１の底面に第一の範囲よりも大きい第二の範囲のすべり抵抗値を有する第二すべり抵抗部３２を有する。
【００２０】
ここで、本実施形態では、床シート１２のすべり抵抗性の評価として、Ｃ．Ｓ．Ｒ・Ｄ’というすべり抵抗値を用いる。Ｃ．Ｓ．Ｒ・Ｄ’は、携帯型すべり試験機（ＯＮＯ・ＰＰＳＭ）を用いて測定された最大引張荷重（Ｐｍａｘ）から算出される（参考文献１〜３）。
【００２１】
まず、測定対象床にＯＮＯ・ＰＰＳＭを設置する。そして、すべり片（発泡ゴムシートに麻織物を被せたもの）を測定箇所に全面接触させた後、ハンドルを回転させ、斜め上方１８°の方向に引張荷重速度約２０ｋｇｆで引張る。次に、すべり片が明らかに動き始めるのを確認したうえで引張るのを停止し、停止するまでの最大引張荷重（Ｐｍａｘ）を読み取る。すべり片と錘を合わせた質量（ｘ）と最大引張荷重（Ｐｍａｘ）から、Ｃ．Ｓ．Ｒ・Ｄ’＝Ｐｍａｘ／ｘという関係式により、Ｃ．Ｓ．Ｒ・Ｄ’が算出される。
【００２２】
＜参考文献１＞
小野英哲：携帯型床のすべり試験機（ＯＮＯ・ＰＰＳＭ）の開発，日本建築学会構造系論文集，第５８５号，ｐｐ５１〜５６，２００４年１１月
【００２３】
＜参考文献２＞
横山祐、横井健、小川慧、小野英哲：すべり測定方法の提示  ペットの安全性からみた床のすべり評価方法（その１），日本建築学会構造系論文集，第７３巻，第６２４号，ｐｐ１８９〜１９６，２００８年２月
【００２４】
＜参考文献３＞
小野英哲、横山祐、小川慧、横井健：ペットのすべりからみた床の評価方法に関する研究  その２  すべりの評価方法の枠組みの提示，日本建築学会大会学術講演梗概集，Ｎｏ．Ａ−１，ｐｐ７２１〜７２２，２００７年８月
【００２５】
床シート１２の表面の凹部２を除く部分には、図３Ａに示すように、主に人の足が接触する。このとき、高齢者は、足を上げて歩くのではなく、床からあまり足を上げず摺り足で歩くことが多い。これにより、第一すべり抵抗部３１のＣ．Ｓ．Ｒ・Ｄ’の値が高いと、高齢者が躓いて転倒してしまい易くなる。そのため、第一すべり抵抗部３１のＣ．Ｓ．Ｒ・Ｄ’の第一の範囲は、人が躓き難いすべり抵抗値となる０．３〜０．５の範囲から設定される。
【００２６】
第一すべり抵抗部３１としては、本実施形態では、床用塗料が用いられる。第一すべり抵抗部３１に用いられる床用塗料は、一般的な床用塗料が用いられ、例えばウレタン樹脂の塗料が用いられることが好ましい。なお、第一すべり抵抗部３１に用いられる床用塗料は、アクリル樹脂、エポキシ樹脂、アクリルウレタン樹脂、ＭＭＡ樹脂、エポキシウレタン樹脂等でもよく、特に限定されない。
【００２７】
窪み部２１の底面には、図３Ｂに示すように、主に犬の肉球が接触する。ここで、図４は参考文献４の表２を基に、犬がすべらない確率とＣ．Ｓ．Ｒ・Ｄ’の値との関係を示した図である。図４では、走り出し（飛び出し）、走り出し（小走り）、歩き出し、回り込み、という犬の動作に対して、犬がすべらない確率とＣ．Ｓ．Ｒ・Ｄ’の値との関係を示す。図４では、縦軸は犬がすべらない確率で単位が％であり、横軸はＣ．Ｓ．Ｒ・Ｄ’の値である。図４に示す犬がすべらない確率とＣ．Ｓ．Ｒ・Ｄ’の値との関係から、犬が上記した動作をするときすべらないためには、少なくともＣ．Ｓ．Ｒ・Ｄ’の値は０．６以上必要となる。そのため、第二すべり抵抗部３２のＣ．Ｓ．Ｒ・Ｄ’の第二の範囲は、０．６以上の範囲から設定される。
【００２８】
＜参考文献４＞
横山裕、鈴木郁海、佐藤晋哉：ペットのすべりからみた床の評価方法に関する研究−小型犬を対象とした評価指標の提示−，日本建築学会大会学術講演梗概集，Ｎｏ．Ａ−１，ｐｐ７１３〜７１４，２０１１年８月
【００２９】
第二すべり抵抗部３２は、上記した一般的な床用塗料に添加剤が加えて形成される。添加剤には、酸化アルミ、シリカ、ポリオレフィンビーズ、エチレンモノマービーズ、ＮＢＲゴム等が用いられる。これにより、第二すべり抵抗部３２に用いられる床用塗料は、Ｃ．Ｓ．Ｒ・Ｄ’の値が０．６以上の範囲にすることができる。添加剤である、酸化アルミ、シリカ、ポリオレフィンビーズ、エチレンモノマービーズ、ＮＢＲゴムは、細かな粒状にして床用塗料に混入させて用いられる。添加剤の粒により窪み部２１の底面の摩擦係数が上昇するので、床用塗料のＣ．Ｓ．Ｒ・Ｄ’の値が上昇する。
【００３０】
また、本実施形態の床シート１２で第二すべり抵抗部３２が施される面積は、床シート１２の表面の面積の内の５０〜６０％であることが好ましい。
【００３１】
本実施形態の床シート１２の表面では、図２に示すように、表面の窪み部２１を除く部分に第一すべり抵抗部３１が設けられ、窪み部２１の底面に第二すべり抵抗部３２が設けられる。
【００３２】
このような表面処理を施した床シート１２の製造方法は、例えば凹凸を形成した床シート１２の表面にインクジェットプリンタで、第一すべり抵抗部３１用の塗料と第二すべり抵抗部３２用の塗料を吹き付ける方法が考えられる。なお、製造方法は上記した方法に限定されない。
【００３３】
また、床シート１２の表面では、図５に示すように、窪み部２１を除く表面に第一すべり抵抗部３１が設けられ、窪み部２１の側面と底面に第二すべり抵抗部３２が設けられることが考えられる。
【００３４】
このような表面処理を施した床シート１２の製造方法は、以下に記載するものが考えられる。
【００３５】
作業者は、床シート１２をエンボスプレートで圧締し、床シート１２の表面に窪み部２１を形成する。作業者は、床シート１２の表面全体に第二すべり抵抗部３２を設ける。作業者は、研磨等の方法により、床シート１２の表面で窪み部２１を除いた部分に設けられた第二すべり抵抗部３２を除去する。作業者は、ロールコータを床シート１２の表面に当てて転がし、第一すべり抵抗部３１を床シート１２の表面で窪み部２１を除いた部分に設ける。なお、床シート１２の表面で窪み部２１を除いた部分に設けられた、第二すべり抵抗部３２は除去しなくともよい。また、製造方法は上記した方法に限定されない。
【００３６】
このように製造された床シート１２では、窪み部２１の底面だけでなく側面にも第二すべり抵抗部３２が施されるので、犬が歩いたり走ったりするときにすべり難くなる。
【００３７】
また、床シート１２の表面では、図６に示すように、窪み部２１を除いた部分に第一すべり抵抗部３１が設けられ、窪み部２１の底面に第二すべり抵抗部３２が設けられ、窪み部２１の側面に第三すべり抵抗部３３が設けられることが考えられる。
【００３８】
ここで、第三すべり抵抗部３３は、第一すべり抵抗部３１と第二すべり抵抗部３２とは異なるすべり抵抗値を有することが好ましい。第三すべり抵抗部３３は、例えば第一すべり抵抗部３１と第二すべり抵抗部３２の間の範囲のすべり抵抗値を有することが考えられる。このとき、第三すべり抵抗部３３は、第二すべり抵抗部３２と同様に、一般的な床用塗料に添加剤を加えて形成される。そして、すべり抵抗値を変化させる方法として、第三すべり抵抗部３３では、第二すべり抵抗部３２の添加剤の粒よりも小さな粒を混入させた添加剤を用いることが考えられる。
【００３９】
このような表面処理を施した床シート１２の製造方法は、以下に記載するものが考えられる。
【００４０】
作業者は、床シート１２をエンボスプレートで圧締し、床シート１２の表面に窪み部２１を形成する。作業者は、床シート１２の表面全体に第三すべり抵抗部３３を設ける。作業者は、インクジェットプリンタで、窪み部２１を除いた床シート１２の表面に第一すべり抵抗部３１を設け、窪み部２１の底面に第二すべり抵抗部３２を設ける。なお、製造方法は上記した方法に限定されない。
【００４１】
このように製造された床シート１２では、肉球が接触する面積が小さい窪み部２１の側面に第三の表面加工が設けられるので、犬が歩いたり走ったりするときにすべり難くなる。
【００４２】
また、凹部２は、図７Ａ，図７Ｂに示すように、溝部２２であってもよい。溝部２２は、図８に示すように、上下方向に深さＨ２を有し、幅方向に幅Ｗ３を有する。このとき、所定の範囲の大きさは、幅Ｗ３の長さとなる。そして、複数の溝部２２で、隣り合う溝部２２との最短距離が溝部２２同士の間隔Ｗ４となる。なお、図７ＢのＤ−Ｄ断面図は、図７ＡのＣ−Ｃ断面図と同じ図８に示す断面図となる。
【００４３】
複数の溝部２２は、図７Ａに示すように、直角に交差して配置されてもよい。また、複数の溝部２２は、図７Ｂに示すように、一の方向に延びる溝部２２に対して他の方向に延びる溝部２２が傾斜して交差するように配置されてもよい。このとき、それぞれの溝部２２同士の間隔Ｗ４の所定範囲は５〜３０ｍｍであることが好ましい。
【００４４】
溝部２２は、本実施形態では、所定の範囲の深さＨ２と、所定の範囲の大きさＷ３と、所定の範囲の間隔Ｗ４で設けられる。上述したように、人の足裏が溝部２２の底面に所定の面積以上接触しないように、溝部２２の所定の範囲の大きさＷ３と所定の範囲の深さＨ２が設定される。
【００４５】
溝部２２の大きさＷ３の所定の範囲は３〜１５ｍｍ、溝部２２の深さＨ２の所定の範囲は５〜５００μｍ、となっており、溝部２２の大きさＷ３と深さＨ２は夫々の範囲から設定されることが好ましい。このとき、溝部２２の底面と人の足が所定の面積以上で接しないようにすることができる。
【００４６】
また、複数の溝部２２を有する床シート１２においても、上述した窪み部２１と同様の製造方法が用いられることができる。これにより、溝部２２を有する床シート１２でも、第一すべり抵抗部３１と第二すべり抵抗部３２だけでなく、第三すべり抵抗部３３が設けられる。
【００４７】
その他の凹部２の形状としては、ハニカム状が考えられる。さらに、上記した形状において、凹部２と凹部２を除いた部分を逆にした形状が考えられるが、特に限定されない。
【００４８】
上記した構成の床材１及び床シート１２では、人の足裏が底面に所定面積以上接触しないために、凹部２が所定範囲の大きさと所定範囲の深さを有している。そして、凹部２を除いた床シート１２の表面には第一すべり抵抗部３１が設けられるため、人は躓き難くなる。さらに、凹部２の底面には、第二すべり抵抗部３２が設けられるため、ペットがすべり難い。従って、本実施形態の床材１及び床シート１２では、人とペットの双方の動作に支障が生じ難い。
【００４９】
本実施形態の床材１は、以下のような構成になる。
【００５０】
床材１は、基材１１と、基材１１の上面に設けられる床シート１２と、を備える。床シート１２は、表面に複数の凹部２を備える。凹部２は、所定の範囲の深さと、所定の範囲の大きさと、を有して、所定の範囲の間隔で設けられる。表面の凹部２を除く部分に、第一の範囲のすべり抵抗値を有する第一すべり抵抗部３１を有する。凹部２の底面に、第一の範囲よりも大きい第二の範囲のすべり抵抗値を有する第二すべり抵抗部３２を有することを特徴とする。
【００５１】
これにより、人とペットの双方の動作に支障が生じ難い。
【００５２】
また、凹部２は、窪み部２１であることが好ましい。
【００５３】
これにより、人とペットの双方の動作に支障が生じ難い。
【００５４】
また、窪み部２１の深さＨ１の所定の範囲は５〜５００μｍであり、窪み部２１の大きさＷ１の所定の範囲は３〜１５ｍｍであり、隣り合う窪み部２１同士の間隔Ｗ２の所定の範囲は５〜３０ｍｍであることが好ましい。
【００５５】
これにより、人とペットの双方の動作に支障が生じ難くすることができる。
【００５６】
また、凹部２は、溝部２２であることが好ましい。
【００５７】
これにより、人とペットの双方の動作に支障が生じ難い。
【００５８】
また、溝部２２の深さＨ２の所定の範囲は５〜５００μｍであり、溝部２２の大きさＷ３の所定の範囲は３〜１５ｍｍであり、夫々の溝部２２同士の間隔Ｗ４の所定の範囲は５〜３０ｍｍであることが好ましい。
【００５９】
これにより、人とペットの双方の動作に支障が生じ難くすることができる。
【００６０】
本実施形態の床シート１２は、以下のような構成になる。
【００６１】
床シート１２は、表面に複数の凹部２を備える。凹部２は、所定の範囲の深さと、所定の範囲の大きさと、所定の範囲の間隔で設けられる。表面の凹部２を除く部分に、第一の範囲のすべり抵抗値を有する第一すべり抵抗部３１を有する。凹部２の底面に、第一の範囲よりも大きい第二の範囲のすべり抵抗値を有する第二すべり抵抗部３２を有することを特徴とする。
【００６２】
これにより、人とペットの双方の動作に支障が生じ難い。
【符号の説明】
【００６３】
１    床材
１１  基材
１２  床シート
２    凹部
２１  窪み部
２２  溝部
３１  第一すべり抵抗部
３２  第二すべり抵抗部
３３  第三すべり抵抗部
【図１】
2016011567.tif 000003
【図２】
2016011567.tif 000004
【図３】
2016011567.tif 000005
【図４】
2016011567.tif 000006
【図５】
2016011567.tif 000007
【図６】
2016011567.tif 000008
【図７】
2016011567.tif 000009
【図８】
2016011567.tif 000010